(57)【要約】【課題】十分に効率的且つ低コストにて、バチルス属細菌の優占化処理を行うことが可能なバチルス属細菌の優占化処理装置及び方法を提供すること。【解決手段】本発明の優占化処理装置２０は、バチルス属細菌の優占化処理をすべき被処理汚泥を収容する優占化槽２５と、被処理汚泥を好気処理する好気部（２１ａ，２２ａ）と、優占化槽２５の底部２５ａ近傍に形成される嫌気部と、好気部及び嫌気部を繰り返し通過するように被処理汚泥を流動させる汚泥循環手段（２６，２１，２２）と、を備える。【選択図】図２
2008023468.tif 000002
【特許請求の範囲】
【請求項１】
バチルス属細菌の優占化処理をすべき被処理汚泥を収容する優占化槽と、
前記優占化槽内に設けられ、前記被処理汚泥を好気処理する好気部と、
前記優占化槽内に設けられ、前記被処理汚泥を嫌気処理する嫌気部と、
前記好気部及び前記嫌気部を繰り返し通過するように前記被処理汚泥を流動させる汚泥循環手段と、
を備えることを特徴とする優占化処理装置。
【請求項２】
前記汚泥循環手段は、前記優占化槽内に酸素含有気体を供給する気体供給手段と、前記気体供給手段からの前記酸素含有気体とともに前記優占化槽内において前記被処理汚泥が流動する流路をなす管状部材とによって構成され、前記好気部は前記流路内に少なくとも形成されることを特徴とする、請求項１に記載の優占化処理装置。
【請求項３】
前記管状部材は、内管と外管とからなる二重管構造を有し、前記気体供給手段からの前記酸素含有気体が前記内管内に供給され、前記被処理汚泥が上方に流動する上向流路が前記内管の内面によって構成されるとともに、前記上向流路を通過した被処理汚泥が下方に流動する下向流路が前記内管の外面と前記外管の内面とによって構成され、前記好気部は前記上向流路内及び前記下向流路内に少なくとも形成されることを特徴とする、請求項２に記載の優占化処理装置。
【請求項４】
前記管状部材は、内管と外管とからなる二重管構造を有し、前記気体供給手段からの前記酸素含有気体が前記外管内であって前記内管の外側に供給され、前記被処理汚泥が上方に流動する上向流路が前記内管の外面と前記外管の内面とによって構成されるとともに、前記上向流路を通過した被処理汚泥が下方に流動する下向流路が前記内管の内面によって構成され、前記好気部は前記上向流路内及び前記下向流路内に少なくとも形成されることを特徴とする、請求項２に記載の優占化処理装置。
【請求項５】
前記内管の下方端部は、前記外管の下方端部よりも下方に位置していることを特徴とする、請求項３又は４に記載の優占化処理装置。
【請求項６】
前記下向流路に、バチルス属細菌を活性化させる活性剤を収容する活性剤収容部を備えることを特徴とする、請求項３〜５のいずれか一項に記載の優占化処理装置。
【請求項７】
前記外管の外側には、前記下向流路を通過した被処理汚泥の上向を阻害する阻害板が設けられていることを特徴とする、請求項３〜６のいずれか一項に記載の優占化処理装置。
【請求項８】
バチルス属細菌の優占化処理をすべき被処理汚泥を優占化槽に供給する汚泥供給工程と、
前記優占化槽内に酸素含有気体を供給し、前記優占化槽内に部分的に好気領域を形成し且つ前記酸素含有気体の気泡とともに前記被処理汚泥を流動させ、前記好気領域及び前記優占化槽内の嫌気領域を繰り返し通過させる気体供給工程と、
を備えることを特徴とする優占化処理方法。
【発明の詳細な説明】
【技術分野】
【０００１】
本発明は、汚泥中に含まれる微生物のうち、バチルス属細菌が優占種となるように汚泥を処理するための優占化処理装置及び方法に関する。
【背景技術】
【０００２】
有機性廃水の処理施設においては、処理タンクや管路から発生する悪臭に対して防除策を講じる必要がある。悪臭の原因となる臭気物質は、主に、硫化水素、メチルカプタン、硫化メチル、二硫化メチル及びアンモニアなどである。これらの臭気物質は、硫黄や窒素を含有する有機物が嫌気状態にて分解されることで生成する。
【０００３】
悪臭に対する防除策の一つとして、バチルス属細菌を利用する方法が知られている。バチルス属細菌は、有機性廃水の生物処理に使用される活性汚泥中に存在する土壌細菌の一種であり、臭気物質の発生を抑制する作用を有している。これは、バチルス属細菌が臭気物質を生成する硫酸還元菌などの働きを抑制する性質があるためと考えられている。
【０００４】
このような性質を有するバチルス属細菌を利用した廃水処理装置として、例えば、特許文献１にはバチルス属細菌を優勢種とする生物相を活性汚泥中に形成し、これを用いて廃水の生物処理を行う装置が記載されている。
【特許文献１】特開２００５−３２９３０１号公報
【発明の開示】
【発明が解決しようとする課題】
【０００５】
しかしながら、特許文献１に記載の廃水処理装置においては、バチルス属細菌を優勢種とするために被処理水に対して酸化剤を添加する必要がある。酸化剤などの添加薬剤の添加量につき、被処理水の性状の変動に応じた制御を要するため、廃水処理を十分に効率的に行うことが困難であるといえる。また、添加薬剤の使用は、廃水処理装置のランニングコストを増大させる要因となる。
【０００６】
本発明は、このような実情に鑑みてなされたものであり、十分に効率的且つ低コストにて、バチルス属細菌の優占化処理を行うことが可能なバチルス属細菌の優占化処理装置及び方法を提供することを目的とする。
【課題を解決するための手段】
【０００７】
本発明の優占化処理装置は、バチルス属細菌の優占化処理をすべき被処理汚泥を収容する優占化槽と、優占化槽内に設けられ被処理汚泥を好気処理する好気部と、優占化槽内に設けられ被処理汚泥を嫌気処理する嫌気部と、好気部及び嫌気部を繰り返し通過するように被処理汚泥を流動させる汚泥循環手段と、を備えることを特徴とする。
【０００８】
本発明の優占化処理装置によれば、汚泥循環手段によって、バチルス属細菌を含有する被処理汚泥が好気部及び嫌気部を繰り返し通過するように循環させることができる。したがって、被処理汚泥の好気処理及び嫌気処理を繰り返し行うことができる。
【０００９】
バチルス属細菌を含む汚泥に対して、好気処理及び嫌気処理を繰り返し行うことで、バチルス属細菌を優占種にすることができる。
【００１０】
嫌気状態に曝されると、バチルス属細菌は胞子を形成する性質を有し、この性質により嫌気状態であっても死滅せずに生存可能である。これに対し、好気条件下にて生息する偏性好気性菌などは嫌気状態に曝されると死滅する。他方、好気状態に曝されると、バチルス属細菌は活性化し、他の菌を溶解しＢＯＤとして捕食して増殖する。また、バチルス属細菌は、他の菌の増殖を妨げる物質を放出する性質があるので、バチルス属細菌が増えるにつれて更にバチルス属細菌は増殖しやすくなる。
【００１１】
このように被処理汚泥を好気部及び嫌気部を繰り返し通過させることによって、酸化剤や殺菌剤などの添加薬剤を使用しなくても、被処理汚泥中のバチルス属細菌を選択的に増殖させることができる。その結果、被処理汚泥中のバチルス属細菌を優占種とすることができる。
【００１２】
バチルス属細菌は臭気物質の発生を抑制する作用を有する。このため、例えば、廃水処理設備から排出される汚泥を優占化処理することで、優占種がバチルス属細菌である活性汚泥（以下、「バチルス優占汚泥」という。）とし、これを廃水処理設備に使用することで、廃水処理設備から生じる悪臭が抑制される。
【００１３】
なお、本発明において、「優占種」とは、汚泥中に生息している生物相において数が最も多い種を意味する。また、「優占化」とは、ある種の細菌を対象の生物相における優占種にすることを意味する。優占化は、例えば、特定の細菌を選択的に増殖させることによって行うことができる。また、特定の細菌以外の細菌を淘汰することによって行うこともでき、これと上記の選択的な増殖とを組み合わせて行うこともできる。
【００１４】
本発明の優占化処理装置の汚泥循環手段は、優占化槽内に酸素含有気体を供給する気体供給手段と、気体供給手段からの酸素含有気体とともに優占化槽内において被処理汚泥が流動する流路をなす管状部材とによって構成され、好気部はこの流路内に少なくとも形成されることが好ましい。
【００１５】
上記構成の優占化処理装置においては、管状部材内の被処理汚泥に対して酸素含有気体が導入される。このため、管状部材内に好気部を確実に形成することができる。これに加え、導入された酸素含有気体の気泡の上昇に伴い、流路に沿って被処理汚泥を上方に流動させることができる。つまり、本発明の優占化処理装置によれば、優占化槽内に好気部を部分的に形成させることが可能であり且つ好気部を被処理汚泥が通過するように流動させることが可能である。そして、好気部を通過した被処理汚泥を、酸素含有気体の導入により生じる流動によって、管状部材の外側の領域に存在する嫌気部を通過させることができる。
【００１６】
本発明の優占化処理装置は、管状部材が内管と外管とからなる二重管構造を有し、気体供給手段からの酸素含有気体が内管内に供給され、被処理汚泥が上方に流動する上向流路が内管の内面によって構成されるとともに、上向流路を通過した被処理汚泥が下方に流動する下向流路が内管の外面記外管の内面とによって構成され、好気部が上向流路内及び下向流路内に少なくとも形成されることが好ましい。
【００１７】
また、本発明の優占化処理装置は、管状部材が内管と外管とからなる二重管構造を有し、気体供給手段からの酸素含有気体が外管内であって内管の外側に供給され、被処理汚泥が上方に流動する上向流路が内管の外面と外管の内面とによって構成されるとともに、上向流路を通過した被処理汚泥が下方に流動する下向流路が内管の内面によって構成され、好気部が上向流路内及び下向流路内に少なくとも形成されるものであってもよい。
【００１８】
優占化槽内に配置される管状部材が、二重管構造を有するものであると、上向流路を通じて上方に流動した被処理汚泥を、下向流路を通じて下方に流動せしめることができる。
【００１９】
また、内管及び外管の長さを調節することによって、被処理汚泥を優占化槽の所定の深度まで導くことができる。これにより、優占化槽内の被処理汚泥の流動を十分に制御することができ、優占化槽の底部に被処理汚泥を沈殿せしめることができる。したがって、被処理汚泥が高濃度に存在する優占化槽の底部近傍に嫌気部を形成することができる。
【００２０】
二重管を構成する内管の下方端部は、外管の下方端部よりも下方に位置していることが好ましい。
【００２１】
このような構成であると、下向流路を下降してきた被処理汚泥が、上向流路に直接流入することが十分に抑制される。他方、優占化槽の底部近傍において嫌気状態に曝されていた被処理汚泥を上向流路に取り込むことが容易となる。
【００２２】
また、本発明の優占化処理装置は、下向流路にバチルス属細菌を活性化させる活性剤を収容する活性剤収容部を備えることが好ましい。被処理汚泥が活性剤収容部を通過することによって、バチルス属細菌の増殖を促進させることができる。
【００２３】
また、本発明の優占化処理装置においては、外管の外側に、下向流路を通過した被処理汚泥の上向を阻害する阻害板が設けられていることが好ましい。このような阻害板を設けることによって、下向流路からの被処理汚泥を効率的に沈降させることができる。
【００２４】
本発明に係る優占化処理方法は、バチルス属細菌の優占化処理をすべき被処理汚泥を優占化槽に供給する汚泥供給工程と、優占化槽内に酸素含有気体を供給し、優占化槽内に部分的に好気領域を形成し且つ酸素含有気体の気泡とともに被処理汚泥を流動させ、優占化槽内の好気領域及び嫌気領域を繰り返し通過させる気体供給工程と、を備えることを特徴とする。
【００２５】
本発明の優占化処理方法においては、優占化槽内に部分的に好気領域が形成されるように酸素含有気体を導入する。そして、導入した酸素含有気体の気泡の上昇に伴い、優占化槽内の被処理汚泥を上方に流動させることができる。つまり、本発明の優占化処理方法によれば、優占化槽内に好気領域を部分的に形成させることが可能であるとともに、優占化槽内の好気領域及びこれ以外の領域（例えば、嫌気領域）を被処理汚泥が通過するように流動させることが可能である。
【発明の効果】
【００２６】
本発明によれば、十分に効率的且つ低コストにて、バチルス属細菌の優占化処理を行うことが可能なバチルス属細菌の優占化処理装置及び方法を提供することができる。
【発明を実施するための最良の形態】
【００２７】
以下、図面を参照して本発明の好適な実施形態について説明する。なお、以下の説明においては、同一の要素には同一の符号を用いることとし重複する説明は省略する。
【００２８】
（第１の実施形態）
図１は、本発明の優占化処理装置を備える廃水処理装置の第１の実施形態を示す概略構成図である。廃水処理装置１０Ａは、有機物を含有する有機性廃水を、バチルス属細菌を含む活性汚泥を用いて生物処理するための装置である。
【００２９】
廃水処理装置１０Ａは、沈砂槽（前処理手段）１２、曝気槽（生物処理手段）１４、沈殿槽（固液分離手段）１６及び優占化処理装置２０を有する。
【００３０】
沈砂槽１２はラインＬ１を通って流入される有機性廃水に含まれる異物及び浮遊物質を分離除去するためのものである。沈砂槽１２は有機性廃水の流入口部分に網（図示せず）が設けられており、この網の目よりも大きな異物が分離除去される。また、沈砂槽１２に流入した有機性廃水に含まれる浮遊物質のうち、沈殿したものがラインＬ２から排出される。沈砂槽１２で処理された有機性廃水はラインＬ３を通じて曝気槽１４に導入されるようになっている。なお、本明細書において「ライン」とは、管路を意味するものとする。
【００３１】
曝気槽１４は、好気性菌を含む活性汚泥によって有機性廃水を生物処理するためのものである。図示していないが、曝気槽１４は空気又は酸素を曝気する曝気装置を備えている。本実施形態では、主に、好気性菌であるバチルス属細菌によって有機性廃水に含まれる有機物を分解する。曝気槽１４には、ラインＬ４が接続されている。曝気槽１４から排出される曝気液（生物処理液）は、ラインＬ４を通じて沈殿槽１６に導入されるようになっている。
【００３２】
沈殿槽１６は、曝気槽１４からの曝気液を、分離汚泥と分離液とに分離するためのものである。分離液は、いわゆる上澄み液であり、活性汚泥の含有量が十分に低減されている。一方、分離汚泥は、固形分である活性汚泥を高濃度に含有するとともに、曝気槽１４における生物処理で分解されなかったものも含有している。また、活性汚泥には、バチルス属細菌をはじめ複数の菌が含まれている。
【００３３】
沈殿槽１６には、ラインＬ５及びラインＬ６が接続されている。ラインＬ５は、分離液を排水浄化設備へと移送するためのラインである。ラインＬ６は、分離汚泥を排出するためのラインである。
【００３４】
ラインＬ６には、ラインＬ７及びラインＬ８が接続されている。ラインＬ７を通じて分離汚泥の少なくとも一部が、廃水処理装置１０Ａの上流側に返送されるようになっている。ラインＬ７を通じて返送される汚泥が返送汚泥と称されるものである。一方、廃水処理装置１０Ａの上流側に返送されない分離汚泥（余剰汚泥）が、ラインＬ８を通じて汚泥処理設備へと移送されるようになっている。
【００３５】
優占化処理装置２０は、ラインＬ７を通じて返送される返送汚泥の少なくとも一部に対し、バチルス属細菌が優占種となるように優占化処理をするためのものである。優占化処理装置２０には、ラインＬ７から分岐したラインＬ９を通じて返送汚泥の少なくとも一部（被処理汚泥）が導入されるようになっている。そして、優占化処理後の返送汚泥はラインＬ１０から排出されるようになっている。
【００３６】
ラインＬ１０にはラインＬ１０ａ及びラインＬ１０ｂが接続されている。ラインＬ１０ａ及びラインＬ１０ｂそれぞれは、優占化処理後の返送汚泥を、ラインＬ７及びラインＬ１に導入するためのラインである。上記ラインＬ７，Ｌ９，Ｌ１０，Ｌ１０ａ，Ｌ１０ｂは、活性汚泥を返送する汚泥返送路（返送路）として機能している。
【００３７】
次に、図２を参照しながら、優占化処理装置２０の構成及び優占化処理方法について説明する。
【００３８】
図２は優占化処理装置２０の好適な一形態を示す模式断面図である。優占化処理装置２０は、優占化槽２５と、空気供給装置（気体供給手段）２６と、管状部材（内管）２１と、管状部材２１の外側に設けられた管状部材（外管）２２と、活性剤収容部２３と、阻害板２４とを有している。
【００３９】
優占化槽２５は、被処理汚泥を収容するためのものである。優占化槽２５は、円形の底部２５ａを有する円筒形状の水槽である。優占化槽２５内で沈降した汚泥は、底部２５ａ面上に堆積するようになっている。そして、汚泥の堆積部分に嫌気領域（嫌気部）が形成される。なお、優占化槽２５の形状は、円筒形状に限定されず、例えば、矩形の底部を有する直方体形状のものであってもよい。ただし、優占化処理装置２０の小型化の観点から、優占化槽２５は、円筒形状のものが好ましい。
【００４０】
空気供給装置２６は、管状部材２１内に空気（酸素含有気体）を供給し、優占化槽２５内に部分的に好気領域（好気部）を形成するためのものである。空気供給装置２６は、空気を吐出するラインＬ２６を備えている。空気供給装置２６としては、例えば、空気圧縮機などが挙げられる。なお、空気供給装置２６で供給可能な気体は、空気の他に酸素又は所望の酸素濃度を有する混合気体などである。
【００４１】
管状部材２１及び管状部材２２は、それぞれ円筒状の形状を有しており、これらは二重管を構成している。管状部材２１，２２は、これらの管状部材によって構成される流路が鉛直方向となるように配置されている。管状部材２１の内面によって流路２１ａが構成され、管状部材２１の外面及び管状部材２２の内面によって流路２２ａが構成されている。また、管状部材２１，２２は、これらの中心軸の延長線が優占化槽２５の底部２５ａの中心点を通過するように、優占化槽２５内に配置されている。なお、管状部材２１及び管状部材２２の形状は円筒状に限られず、これらの断面は、例えば、楕円状、矩形状などであってもよい。
【００４２】
管状部材２１には、返送汚泥が供給されるラインＬ９及び空気供給装置２６から空気が供給されるラインＬ２６が、それぞれ接続されている。管状部材２１内の被処理汚泥を効率的に上方に流動させる観点から、ラインＬ２６は管状部材２１の下方端部２１ｂ近傍に接続されていることが好ましい。また、同様の観点から、ラインＬ２６はラインＬ９よりも下方に接続されていることが好ましい。
【００４３】
管状部材２１の下方端部２１ｂは、管状部材２２の下方端部２２ｂよりも下方に延在している。このため、優占化槽２５の底部に堆積している被処理汚泥を、空気の供給によるいわゆるエアリフト作用によって、管状部材２１内に確実に取り込むことができ、これを循環させることができる。
【００４４】
管状部材２２の上方端部２２ｃは、被処理汚泥の液面Ｌよりも上方に位置し且つ管状部材２２の上方端部２１ｃよりも上方に位置している。これにより、管状部材２１の上方端部２１ｃから空気とともに横溢する被処理汚泥が、管状部材２２の外側に漏れることを十分に防止することができる。したがって、流路２１ａからの被処理汚泥を、流路２２ａを通じて優占化槽２５の底部２５ａ方向に確実に循環させることができる。
【００４５】
なお、優占化槽２５は、ラインＬ１０から上澄み液が排出されるようになっている。このため、優占化槽２５における被処理汚泥の液面Ｌの位置は、被処理汚泥が排出されるラインＬ１０の位置で決まる。
【００４６】
活性剤収容部２３は、流路２２ａを移動する被処理汚泥とバチルス属細菌に活性を与え発芽を促進させる活性剤とを接触させるためのものである。活性剤収容部２３は、管状部材２１の下方端部２１ｂと管状部材２２の下方端部２２ｂとの間を覆うように設けられた格子（図示せず）を備え、この格子によって活性剤が保持されている。
【００４７】
活性剤の形状は、被処理汚泥の流れが阻害されることを十分に抑制する観点から、最大径２０ｍｍ以上（より好ましくは５０〜１００ｍｍ）の塊状であることが好ましい。また、被処理汚泥との高い接触効率を確保する観点から、多孔体であることが好ましい。
【００４８】
活性剤としては、ケイ酸塩系活性剤及びマグネシウム塩系活性剤を使用することができる。ケイ酸塩系活性剤は、ケイ酸塩としてケイ酸ナトリウムを含む複合塩を含有するものである。マグネシウム塩系活性剤は、マグネシウム塩として水酸化マグネシウムを含む複合塩を含有するものである。これらの活性剤から微量のケイ素もしくはマグネシウムが溶出する。これを取り込むことによって、バチルス属細菌は活性化する。上記活性剤は、１種を単独で用いてもよく、２種以上を組み合わせ用いてもよい。
【００４９】
これらの活性剤は、常法によって調製することができる。例えば、所望のケイ酸塩もしくはマグネシウム塩及び焼結助剤を含有する混合物を焼成することによって、多孔体からなる活性剤を得ることができる。
【００５０】
阻害板２４は、流路２２ａを通過した被処理汚泥の上向を阻害するためのものである。阻害板２４は、管状部材２２の中心軸から離れる方向に突出するように管状部材２２の表面上に設けられている。具体的には、阻害板２４は、管状部材２２の下方端部２２ｂの周縁部に設けられ、下方端部２２ｂの周縁部を基端とし、周縁部から下方に遠ざかるにしたがって拡径している。このような阻害板２４を管状部材２２に設けることで、管状部材２２の外側の上向流が弱められ、流路２２ａからの被処理汚泥が効率的に沈降する。
【００５１】
被処理汚泥を十分に沈殿させる観点から、阻害板２４は、管状部材２２の中心軸に対して、３０〜６０°の角度をなすように拡径していることが好ましく、５０〜６０°の角度をなすように拡径していることがより好ましい。なお、阻害板２４は、必ずしも管状部材２２の全周にわたって設ける必要はなく、周に部分的に設けてもよい。また、阻害板２４の位置は、下方端部２２ｂの周縁部に限られず、例えば、下方端部２２ｂ及び上方端部２２ｃの中間位置であってもよい。
【００５２】
優占化処理装置２０によれば、管状部材２１の内側に空気供給装置２６から空気を供給することで、優占化槽２５内に部分的に好気領域を形成することができる。また、エアリフト作用によって被処理汚泥を流路２１ａに沿って上方に流動させることができる。そして、流路２１ａを通じて上方に移動した被処理汚泥を、流路２２ａを通じて下方に循環させることができる。
【００５３】
流路２２ａからの被処理汚泥の一部は、管状部材２２の外側を上方に移動し、ラインＬ１０から排出される。一方、流路２２ａからの被処理汚泥の残りの一部は沈降し、優占化槽２５の底部２５ａに堆積する。これにより優占化槽２５の底部近傍に嫌気領域が形成される。底部２５ａに堆積した被処理汚泥は、エアリフト作用による流動によって管状部材２１内に取り込まれ、再び好気領域を通過する。つまり、管状部材２１の内側に空気を供給することによって、流路２１ａが被処理汚泥の上向流路となり、他方、流路２２ａが被処理汚泥の下向流路となる。
【００５４】
図２に示す優占化処理装置２０は、流路２１ａ及び流路２２ａに好気領域が、優占化槽２５の底部２５ａ近傍に嫌気領域が、それぞれ形成されるように設計されている。
【００５５】
優占化槽２５内の好気領域及び嫌気領域は、優占化槽２５内の被処理汚泥の酸化還元電位（ＯＲＰ）を測定することにより判別可能である。ＯＲＰは、対象の液体が好気状態であるか嫌気状態であるかを電位で示す指標である。好気状態であると電位は高い値となり、嫌気状態であると電位は低い値となる。ただし、優占化槽２５の管状部材２２の外側の領域においては、被処理汚泥は流動しているため、好気領域と嫌気領域との明確な境界線はなく、これらの遷移領域も存在する。
【００５６】
なお、ラインＬ９で供給される被処理汚泥を、必ずしも管状部材２２内に導入する必要はなく、例えば、被処理汚泥を優占化槽２５の上方から注ぎ入れるようにして優占化槽２５に導入してもよい。ただし、導入された被処理汚泥と活性剤とを確実に接触させる観点から、ラインＬ９は、管状部材２１又は管状部材２２に接続されていることが好ましい。
【００５７】
また、活性剤収容部２３の設置位置は、好気領域であれば特に限定されるものではない。ただし、好気領域に十分に曝された状態のバチルス属細菌を活性剤に接触させると、バチルス属細菌の増殖がより促進されるため、図２に示すように管状部材２２の下方端部２２ｂ近傍に設置することが好ましい。
【００５８】
次に、廃水処理装置１０Ａを用いた有機性廃水の廃水処理方法について説明する。
【００５９】
まず、ラインＬ１を通じて沈砂槽１２に有機性廃水を導入する。ここで有機性廃水の原水に含まれている異物及び浮遊物質を分離除去する。
【００６０】
ラインＬ３を通じて曝気槽１４に有機性廃水導入する。ここで有機性廃水に含まれる有機物を活性汚泥によって生物処理する。そして、曝気槽１４から排出される曝気液を、ラインＬ４を通じて沈殿槽１６に導入し、曝気液に含まれる活性汚泥を沈殿させて、分離汚泥と分離液とに分離する。沈殿槽１６における上澄み液である分離液を、ラインＬ５を通じて排水浄化施設に移送する。排水浄化設備において、脱水分離液の消毒や高度凝集処理といった処理が行われる。
【００６１】
一方、沈殿槽１６からの分離汚泥を、ラインＬ６から排出する。ラインＬ６から排出した分離汚泥の少なくとも一部を、ラインＬ７を通じて廃水処理装置１０Ａの上流側に返送する。廃水処理装置１０Ａの上流側に返送しない分離汚泥を、ラインＬ８を通じて汚泥処理設備に移送する。汚泥処理設備において、分離汚泥の脱水処理及び堆肥化や炭化又は焼却といった処理が行われる。
【００６２】
ラインＬ７で返送する返送汚泥の一部（被処理汚泥）を、ラインＬ９を通じて優占化処理装置２０に導入する（汚泥供給工程）。そして、管状部材２１内の被処理汚泥に空気を供給する（気体供給工程）。これによって、優占化槽２５内に好気領域及び嫌気領域を形成する。管状部材２１内への空気の供給は、管状部材２１，２２内に好ましくはＯＲＰが５０ｍＶ以上（より好ましくは１００〜４００ｍＶ）の好気領域が形成されると共に、管状部材２２の外側の領域に好ましくはＯＲＰが−１００ｍＶ以下（より好ましくは−５００〜−１５０ｍＶ）の嫌気領域が形成されるように行えばよい。
【００６３】
嫌気領域を確実に形成する観点から、優占化処理装置２０の表面積負荷は、
３０ｍ／日以下であることが好ましく、１０ｍ／日以下であることがより好ましい。被処理汚泥の優占化槽２５内の滞留時間は、６時間以上とすることが好ましく、２４〜４８時間とすることがより好ましい。滞留時間が６時間未満であると、優占化処理が不十分となる傾向がある。
【００６４】
なお、空気供給装置２６からの空気の供給は、必ずしも常時行う必要はなく、間欠的に行ってもよい。
【００６５】
優占化処理装置２０において上記のように優占化処理されたバチルス優占汚泥を、ラインＬ１０及びラインＬ１０ａを通じてラインＬ７内の返送汚泥に添加する。また、バチルス優占汚泥を、ラインＬ１０及びラインＬ１０ｂを通じてラインＬ１に添加する。
【００６６】
なお、必ずしもラインＬ７及びラインＬ１の両方に返送汚泥を供給する必要はなく、いずれか一方でもよい。ただし、廃水処理装置１０Ａの系内広域にわたりバチルス属細菌を存在せしめる観点から、ラインＬ７及びラインＬ１の両方にバチルス優占汚泥を供給することが好ましい。
【００６７】
上記構成の廃水処理装置及びこれを用いた処理方法により得られる効果としては以下のものが挙げられる。すなわち、バチルス属細菌は、好気性菌であって有機物を分解する性質を有するので、バチルス属細菌を優占化させることにより、有機性廃水中の有機物が効率的に分解される。これにより、例えば、バチルス属細菌の量が１０３〜１０８個／ｍｌ程度になると、沈砂槽１２や曝気槽１４などのカビ臭及び汚泥の腐敗臭などが低減される。
【００６８】
有機性廃水に硫化物が含まれており、その有機性廃水が嫌気性になると、硫化水素が形成され悪臭が生じたり、廃水処理装置１０Ａを構成する各部に腐食が生じたりすることがある。しかしながら、バチルス属細菌は、硫化水素を発生させにくい性質も有している。そのため、廃水処理装置１０Ａの腐食が抑制され、腐食臭も低減される。
【００６９】
また、バチルス属細菌は沈降性がよいので、活性汚泥に含まれるバチルス属細菌の量が多くなると、活性汚泥の沈降性もよくなる。そのため、活性汚泥が曝気槽１４から流出しにくいことから、バチルス属細菌の量が増加すると、余剰汚泥が減容・減量されやすい。更に、バチルス属細菌を含む活性汚泥の沈降性がよいことから、沈殿槽１６で固液分離すると効率的に活性汚泥が有機性廃水から分離される。そして、その活性汚泥の一部を返送汚泥として、曝気槽１４を含む上流側に返送するので、曝気槽１４中の活性汚泥濃度が濃くなる。したがって、有機性廃水に含まれる有機物の分解効率が向上する。これにより、曝気槽１４で生物処理された有機性廃水に含まれる処理水の水質が向上する。
【００７０】
また、例えば、バチルス属細菌の優占化処理を行わない場合、曝気槽１４内の浮遊固形物濃度が約６０００ｍｇ／Ｌであると、通常、その固形物の３０分間沈殿率は９０〜１００であるのに対して、上記方法によって優占化処理を行なうことによって固形物の３０分間沈殿率が２０〜４０程度になる。これは、バチルス属細菌により有機性廃水に含まれる有機物がより多く分解されることを示している。また、バチルス属細菌は桿菌ではあるが、形状が糸状になったり、胞子になったり変化し、糸状化した菌は凝集化を促進する。
【００７１】
更に、バチルス属細菌を含む活性汚泥の沈降性がよいことから、活性汚泥の濃度が安定しやすくなっている。そのため、廃水処理装置１０Ａの運転管理が容易になっている。
【００７２】
以上述べたように、廃水処理装置１０Ａを用いた有機性廃水の廃水処理方法では、そのバチルス属細菌の働きにより、優れた処理水質が確保されつつ廃水処理装置１０Ａからの悪臭及び余剰汚泥が低減される。本実施形態では、これらの効果を添加薬剤を使用せずに得ることができる。また、添加薬剤を使用しないため、廃水処理装置の運転管理が容易であることに加え、添加薬剤等を使用する場合よりもランニングコストを低減できる。
【００７３】
（第２の実施形態）
図３は、第２の実施形態の廃水処理装置の概略構成図である。第１実施形態に係る廃水処理装置１０Ａでは、返送汚泥を優占化処理装置２０に導入している。これに対し、廃水処理装置１０Ｂでは、ラインＬ８Ｂで移送される余剰汚泥を優占化処理装置２０に導入する。
【００７４】
沈殿槽１６から分離汚泥を排出するラインＬ６には、ラインＬ７及びラインＬ８Ｂが接続されている。ラインＬ８Ｂを通じて余剰汚泥の全量が優占化処理装置２０に導入されるようになっている。
【００７５】
廃水処理装置１０Ｂを用いた有機性廃水の廃水処理方法は、余剰汚泥の全量を優占化処理装置２０に導入して優占化処理を行う点で廃水処理装置１０Ａを用いた場合と相違する。
【００７６】
この場合、余剰汚泥の全量に対してバチルス属細菌の優占化処理が行われるため、余剰汚泥から生じる悪臭をより確実に抑制可能である。このため、廃水処理装置１０Ｂによれば、廃水処理装置１０Ａにより得られる効果に加え、余剰汚泥が移送される汚泥処理設備における悪臭の発生をより確実に低減できるという効果が得られる。
【００７７】
（第３の実施形態）
図４は、第３の実施形態の廃水処理装置の概略構成図である。廃水処理装置１０Ｃは、曝気槽１４から排出される曝気液を上流側に返送する構成である点が廃水処理装置１０Ａと相違する。
【００７８】
すなわち、廃水処理装置１０Ｃは、（１）曝気槽１４から排出される曝気液を優占化処理装置２０に導入する、ラインＬ４から分岐したラインＬ１２を有している点、（２）優占化処理後の曝気液を返送するラインＬ１４，Ｌ１４ａ，Ｌ１４ｂを有している点、（３）優占化処理後の被処理汚泥を、沈殿槽１６に導入するラインＬ１３を有している点で廃水処理装置１０Ａと相違する。
【００７９】
曝気槽１４からの曝気液を移送するラインＬ４にはラインＬ１２が接続されている。ラインＬ１２を通じて曝気液の少なくとも一部が優占化処理装置２０に導入されるようになっている。ラインＬ１４は優占化処理が施された曝気液を廃水処理装置１０Ｃの上流側に返送するためのラインである。ラインＬ１４にはラインＬ１４ａ及びラインＬ１４ｂが接続されている。ラインＬ１４ａ及びラインＬ１４ｂそれぞれは、優占化処理後の曝気液を、ラインＬ３及びラインＬ１に導入するためのラインである。上記ラインＬ１２，Ｌ１４，Ｌ１４ａ，１４ｂは、曝気液を返送する曝気液返送路（返送路）として機能している。また、優占化処理が施された曝気液を、ラインＬ１３を通じて沈殿槽１６に導入できるようになっている。
【００８０】
廃水処理装置１０Ｃを用いた有機性廃水の廃水処理方法は、曝気液の少なくとも一部を優占化処理装置２０に導入して優占化処理を行う点で、廃水処理装置１０Ａを用いた場合と相違する。また、優占化処理が施された曝気液をラインＬ１３を通じて沈殿槽１６に供給できる点で相違する。
【００８１】
この場合、曝気液に対してバチルス属細菌の優占化処理が行われるため、曝気液から生じる悪臭をより確実に抑制可能である。優占化処理装置２０では、曝気液を好気状態及び嫌気状態に繰り返し曝すことで優占化処理を行う。これは、管状部材２１内に空気を供給することで行う。空気の供給は、管状部材２１，２２内に好ましくはＯＲＰが５０ｍＶ以上（より好ましくは１００〜４００ｍＶ）の好気領域が形成されると共に、管状部材２２の外側の領域に好ましくはＯＲＰが−１００ｍＶ以下（より好ましくは−５００〜−１５０ｍＶ）の嫌気領域が形成されるように行えばよい。また、曝気液の優占化槽２５内の滞留時間は、６時間以上とすることが好ましく、２４〜４８時間とすることがより好ましい。滞留時間が６時間未満であると、優占化処理が不十分となる傾向がある。
【００８２】
廃水処理装置１０Ｃによれば、廃水処理装置１０Ａにより得られる効果に加え、沈殿槽１６で分離された分離液が移送される排水浄化設備における悪臭の発生をより確実に低減できるという効果が得られる。
【００８３】
以上、本発明の好適な実施形態について説明したが、本発明は上記実施形態に限定されないことは言うまでもない。
【００８４】
例えば、図２に示す優占化装置においては、空気供給装置２６からの空気を管状部材２１（流路２１ａ）内に供給する構成となっているが、優占化装置は図５に示すような構成であってもよい。すなわち、空気供給装置２６からの空気を管状部材２２と管状部材２１との間（流路２２ａ）に供給し、流路２２ａを被処理汚泥の上向流路とし、他方、流路２１ａを被処理汚泥の下向流路とする構成であってもよい。流路２２ａに空気を供給することにより、流路２２ａ，２１ａ内に好気部が形成される。そして、流路２１ａを通過した被処理汚泥は、優占化槽２５の底部に堆積し、底部近傍に嫌気部が形成される。更に、優占化槽２５の底部に堆積している被処理汚泥は、流路２２ａへの空気供給によるエアリフト作用によって、流路２２ａ内に取り込まれ、再び流路２２ａ，２１ａ内の好気部を通過する。このように上記構成の優占化装置によれば、図２に示す優占化装置２０と同様、被処理汚泥の好気処理及び嫌気処理を繰り返し行うことができ、バチルス属細菌の優占化処理を効率的に行うことができる。
【００８５】
図５に示す構成の優占化装置は、被処理汚泥を供給するラインＬ９が管状部材２２と接続されており、被処理汚泥が流路２２ａに供給される。これにより、供給された被処理汚泥が確実に好気部を通過するため、被処理汚泥の好気処理をより確実に行うことができる。また、活性剤収容部２３は、この場合の下向流路、すなわち、流路２１ａ内であって、管状部材２１の下方端部に設置されている。これにより、好気処理が十分に施されたバチルス属細菌を活性剤と接触させることができ、バチルス属細菌の増殖をより促進できる。更に、管状部材２２の外側に設けられた阻害板２４によって、流路２１ａを通過した被処理汚泥の上向が阻害されるため、被処理汚泥を効率的に沈降させることができる。
【００８６】
また、上記第１〜３実施形態に係る各廃水処理装置においては、１つの優占化処理装置を用いているが、２つ以上の優占化処理装置を設けてもよい。この場合、それぞれの優占化処理装置の設置位置については、上記第１〜３実施形態における優占化処理装置の設置位置を適宜採用すればよい。
【００８７】
更に、第１及び第２実施形態では、沈殿槽１６での固液分離処理を経た分離汚泥の少なくとも一部が優占化処理装置２０に供給される構成であるが、曝気槽１４から排出される曝気液についても優占化処理装置２０に供給可能な構成としてもよい。具体的には、曝気液を移送するラインＬ４と優占化処理装置２０とを接続するラインを更に設け、このラインを通じて曝気液を優占化処理装置２０に供給してもよい。この場合、優占化処理装置２０に供給する分離汚泥及び曝気液の比率を制御する制御手段を用いることで、被処理汚泥を優占化処理に適した濃度に調整することが可能となる。
【００８８】
また、同様の観点から、第３実施形態において、沈殿槽１６からの分離汚泥を移送するライン（ラインＬ６，Ｌ７，Ｌ８）と優占化処理装置２０とを接続するラインを更に設け、このラインを通じて分離汚泥を優占化処理装置２０に供給可能な構成としてもよい。
【００８９】
なお、沈砂槽１２に返送汚泥又は曝気液を返送して添加するとは、沈砂槽１２に有機性廃水を流入させるためのラインＬ１に添加するだけでなく、沈砂槽１２に直接添加する場合も含む意味である。また、曝気槽１４に返送汚泥又は曝気液を返送して添加するとは、曝気槽１４に有機性廃水を流入させるためのラインＬ３又はラインＬ７に添加するだけでなく、曝気槽１４に直接添加する場合も含む意味である。
【００９０】
前処理手段として、沈砂槽１２を例示したがこれに限られない。その他、例えば、沈砂池やスクリーンなどを採用してもよい。生物処理手段として、曝気槽１４を例示したがこれに限られない。その他、例えば、好気性処理槽として、回転曝気法に用いられるもの、接触酸化法に用いられるもの、生物膜法に用いられるもの、オキシデーションディッチ法に用いられるものなどであってもよい。また、固液分離手段として、沈殿槽１６を例示したが、例えば、遠心分離機や膜分離装置であってもよい。
【図面の簡単な説明】
【００９１】
【図１】第１の実施形態の廃水処理装置の概略構成図である。
【図２】優占化処理装置の好適な一形態を示す模式断面図である。
【図３】第２の実施形態の廃水処理装置の概略構成図である。
【図４】第３の実施形態の廃水処理装置の概略構成図である。
【図５】優占化処理装置の好適な他の形態を示す模式断面図である。
【符号の説明】
【００９２】
１０Ａ，１０Ｂ，１０Ｃ…廃水処理装置、１２…沈砂槽、１４…曝気槽、１６…沈殿槽、２０…優占化処理装置、２１…管状部材（内管）、２１ａ…流路、２２…管状部材（外管）、２２ａ…流路、２３…活性剤収容部、２４…阻害板、２５…優占化槽、２６…空気供給装置（気体供給手段）。
【図１】
2008023468.tif 000003
【図２】
2008023468.tif 000004
【図３】
2008023468.tif 000005
【図４】
2008023468.tif 000006
【図５】
2008023468.tif 000007